(57)【要約】【課題】スライドショー表示制御における画像の切替表示に際して利用者に違和感を与えることを抑制する画像表示装置を提供する。【解決手段】複数の画像それぞれの画像品質を検出する画像品質検出手段５２と、スライドショー表示制御において切替表示される複数の画像それぞれに関して画像品質検出手段５２により検出される各画像品質の相違に基づいて、予め定められた表示効果の適用を決定する表示効果決定手段５８と、その表示効果決定手段５８により決定された表示効果を対象となる画像の表示制御に適用する表示効果適用手段６０とを、備えたものであることから、スライドショー表示制御において切替表示される画像それぞれの品質を踏まえて表示効果を決定することで、視覚的に自然な画像の切替制御を実現できる。【選択図】図３
2011180389.tif 000002
【特許請求の範囲】
【請求項１】
複数の画像をディスプレイに順次切替表示させるスライドショー表示制御を実行するスライドショー表示制御手段を備えた画像表示装置であって、
前記複数の画像それぞれの画像品質を検出する画像品質検出手段と、
前記スライドショー表示制御において切替表示される複数の画像それぞれに関して前記画像品質検出手段により検出される各画像品質の相違に基づいて、予め定められた表示効果の適用を決定する表示効果決定手段と、
該表示効果決定手段により決定された表示効果を対象となる画像の表示制御に適用する表示効果適用手段と
を、備えたものであることを特徴とする画像表示装置。
【請求項２】
前記表示効果決定手段は、前記複数の画像それぞれに関して前記画像品質検出手段により検出される各画像品質の差を減少させる表示効果の適用を決定するものである請求項１に記載の画像表示装置。
【請求項３】
前記画像品質検出手段は、対象となる画像の解像度に基づいて該画像の画像品質を検出するものである請求項１又は２に記載の画像表示装置。
【請求項４】
前記表示効果決定手段は、前記複数の画像それぞれに関して前記画像品質検出手段により検出される各画像品質の相違に基づいて、前記表示効果の継続時間を変更するものである請求項１から３の何れか１項に記載の画像表示装置。
【請求項５】
前記表示効果決定手段は、前記複数の画像それぞれに関して前記画像品質検出手段により検出される各画像品質の相違に基づいて、前記表示効果の開始タイミング及び終了タイミングの少なくとも一方を変更するものである請求項１から４の何れか１項に記載の画像表示装置。
【請求項６】
複数の画像をディスプレイに順次切替表示させるスライドショー表示制御過程を含む画像表示方法であって、
前記複数の画像それぞれの画像品質を検出する画像品質検出過程と、
前記スライドショー表示制御過程において切替表示される複数の画像それぞれに関して前記画像品質検出過程において検出される各画像品質の相違に基づいて、予め定められた表示効果の適用を決定する表示効果決定過程と、
該表示効果決定過程において決定された表示効果を対象となる画像の表示制御に適用する表示効果適用過程と
を、含むことを特徴とする画像表示方法。
【請求項７】
複数の画像をディスプレイに順次切替表示させるスライドショー表示制御を実行するスライドショー表示制御手段を備えた画像表示装置の制御装置を、
前記複数の画像それぞれの画像品質を検出する画像品質検出手段、
前記スライドショー表示制御において切替表示される複数の画像それぞれに関して前記画像品質検出手段により検出される各画像品質の相違に基づいて、予め定められた表示効果の適用を決定する表示効果決定手段、
及び該表示効果決定手段により決定された表示効果を対象となる画像の表示制御に適用する表示効果適用手段
として機能させることを特徴とする画像表示プログラム。
【発明の詳細な説明】
【技術分野】
【０００１】
本発明は、複数の画像を順次切替表示させるスライドショー表示制御を実行する画像表示装置、画像表示方法、及び画像表示プログラムの改良に関する。
【背景技術】
【０００２】
所定の記憶媒体に記憶された画像情報を読み出し、読み出された画像情報をディスプレイに表示させる所謂デジタルフォトフレームが広く一般に用いられている。デジタルフォトフレームの一態様として、複数の画像を所定の時間間隔で断続的に切替表示させるスライドショー表示制御を実行するものが知られている。また、スライドショー表示制御において切替表示される画像に所定の表示効果（エフェクト）を適用する技術が提案されている（特許文献１を参照）。
【先行技術文献】
【特許文献】
【０００３】
【特許文献１】特開２００６−３４９９４３号公報
【発明の概要】
【発明が解決しようとする課題】
【０００４】
しかし、前述した従来の技術では、スライドショー表示制御において切替表示される画像の内容に関わらず決定される表示効果が適用される。従って、例えば、比較的高解像度の画像が表示された状態から、比較的低解像度の画像を拡大表示した状態に切り替わるような表示制御が行われた場合、急に画質が変化（劣化）するために利用者に不測の違和感を与えるという弊害があった。すなわち、スライドショー表示制御における画像の切替表示に際して利用者に違和感を与えることを抑制する画像表示装置、画像表示方法、及び画像表示プログラムは、未だ開発されていないのが現状である。
【０００５】
本発明は、以上の事情を背景として為されたものであり、その目的とするところは、スライドショー表示制御における画像の切替表示に際して利用者に違和感を与えることを抑制する画像表示装置、画像表示方法、及び画像表示プログラムを提供することにある。
【課題を解決するための手段】
【０００６】
斯かる目的を達成するために、本第１発明の要旨とするところは、複数の画像をディスプレイに順次切替表示させるスライドショー表示制御を実行するスライドショー表示制御手段を備えた画像表示装置であって、前記複数の画像それぞれの画像品質を検出する画像品質検出手段と、前記スライドショー表示制御において切替表示される複数の画像それぞれに関して前記画像品質検出手段により検出される各画像品質の相違に基づいて、予め定められた表示効果の適用を決定する表示効果決定手段と、その表示効果決定手段により決定された表示効果を対象となる画像の表示制御に適用する表示効果適用手段とを、備えたことを特徴とするものである。
【０００７】
また、前記目的を達成するために、本第２発明の要旨とするところは、複数の画像をディスプレイに順次切替表示させるスライドショー表示制御過程を含む画像表示方法であって、前記複数の画像それぞれの画像品質を検出する画像品質検出過程と、前記スライドショー表示制御過程において切替表示される複数の画像それぞれに関して前記画像品質検出過程において検出される各画像品質の相違に基づいて、予め定められた表示効果の適用を決定する表示効果決定過程と、その表示効果決定過程において決定された表示効果を対象となる画像の表示制御に適用する表示効果適用過程とを、含むことを特徴とするものである。
【０００８】
また、前記目的を達成するために、本第３発明の要旨とするところは、複数の画像をディスプレイに順次切替表示させるスライドショー表示制御を実行するスライドショー表示制御手段を備えた画像表示装置の制御装置を、前記複数の画像それぞれの画像品質を検出する画像品質検出手段、前記スライドショー表示制御において切替表示される複数の画像それぞれに関して前記画像品質検出手段により検出される各画像品質の相違に基づいて、予め定められた表示効果の適用を決定する表示効果決定手段、及びその表示効果決定手段により決定された表示効果を対象となる画像の表示制御に適用する表示効果適用手段として機能させることを特徴とする画像表示プログラムである。
【発明の効果】
【０００９】
このように、前記第１発明によれば、前記スライドショー表示制御において切替表示される画像それぞれの画像品質の相違に基づいて表示効果を決定することで、視覚的に自然な画像の切替制御を実現できる。すなわち、スライドショー表示制御における画像の切替表示に際して利用者に違和感を与えることを抑制する画像表示装置を提供することができる。
【００１０】
ここで、前記第１発明において、好適には、前記表示効果決定手段は、前記複数の画像それぞれに関して前記画像品質検出手段により検出される各画像品質の差を減少させる表示効果の適用を決定するものである。このようにすれば、前記スライドショー表示制御において切替表示される画像それぞれの品質を踏まえて画像品質の差を可及的に小さくする表示効果を適用することで、更に視覚的に自然な画像の切替制御を実現できる。
【００１１】
また、好適には、前記画像品質検出手段は、対象となる画像の解像度に基づいてその画像の画像品質を検出するものである。このようにすれば、前記スライドショー表示制御において切替表示される画像それぞれの品質を実用的な態様で数値的に検出することができる。
【００１２】
また、好適には、前記表示効果決定手段は、前記複数の画像それぞれに関して前記画像品質検出手段により検出される各画像品質の相違に基づいて、前記表示効果の継続時間を変更するものである。このようにすれば、前記スライドショー表示制御において切替表示される画像それぞれの品質を踏まえて表示効果の継続時間を変更することで、更に視覚的に自然な画像の切替制御を実現できる。
【００１３】
また、好適には、前記表示効果決定手段は、前記複数の画像それぞれに関して前記画像品質検出手段により検出される各画像品質の相違に基づいて、前記表示効果の開始タイミング及び終了タイミングの少なくとも一方を変更するものである。このようにすれば、前記スライドショー表示制御において切替表示される画像それぞれの品質を踏まえて表示効果の実行タイミングを変更することで、更に視覚的に自然な画像の切替制御を実現できる。
【００１４】
また、前記第２発明によれば、前記スライドショー表示制御において切替表示される画像それぞれの画像品質の相違に基づいて表示効果を決定することで、視覚的に自然な画像の切替制御を実現できる。すなわち、スライドショー表示制御における画像の切替表示に際して利用者に違和感を与えることを抑制する画像表示方法を提供することができる。
【００１５】
また、前記第３発明によれば、前記スライドショー表示制御において切替表示される画像それぞれの画像品質の相違に基づいて表示効果を決定することで、視覚的に自然な画像の切替制御を実現できる。すなわち、スライドショー表示制御における画像の切替表示に際して利用者に違和感を与えることを抑制する画像表示プログラムを提供することができる。
【図面の簡単な説明】
【００１６】
【図１】本発明の一実施例である画像表示装置の外観の概要を示す図である。
【図２】図１の画像表示装置に備えられた構成を説明するブロック線図である。
【図３】図１の画像表示装置における制御部に備えられた制御機能の要部を説明する機能ブロック線図である。
【図４】図１の画像表示装置における制御部によるスライドショー表示制御において、その表示装置に複数の画像が断続的に切替表示される様子を説明する図である。
【図５】図１の画像表示装置における制御部によりごま塩ノイズを有する画像に実際に適用されるメディアンフィルタについて説明する図である。
【図６】図１の画像表示装置における制御部によりごま塩ノイズを有する画像に実際に適用されるメディアンフィルタについて説明する図である。
【図７】図１の画像表示装置における制御部によりごま塩ノイズを有する画像に実際に適用されるメディアンフィルタについて説明する図である。
【図８】図１の画像表示装置における制御部によるスライドショー表示制御において切替表示される前後１対の画像に、ブロックノイズ付与処理及びブロックノイズを付与した画像に関して元の状態への復帰処理が実行された場合について説明する図である。
【図９】図１の画像表示装置における制御部によるコントラスト調整処理に用いられる関係の一例を示す図である。
【図１０】図１の画像表示装置における制御部によるスライドショー表示制御において切替表示される複数の画像に係る画像品質の相違に基づいて、それらの画像に適用される表示効果の開始タイミング及び終了タイミングが変更される例を説明する図である。
【図１１】図１の画像表示装置の制御部によるメイン制御の要部を説明するフローチャートである。
【図１２】図１１に示すメイン制御における表示効果選択制御の要部を説明するフローチャートである。
【図１３】図１１に示すメイン制御における表示効果適用制御の要部を説明するフローチャートである。
【発明を実施するための形態】
【００１７】
以下、本発明の好適な実施例を図面に基づいて詳細に説明する。
【実施例】
【００１８】
図１は、本発明の一実施例である画像表示装置１０の外観の概要を示す図である。また、図２は、斯かる画像表示装置１０に備えられた構成を説明するブロック線図である。これらの図に示すように、本実施例の画像表示装置１０は、所定の画像（映像）を表示させると共に、利用者の接触操作に応じて入力を行うためのタッチパネルディスプレイ１２を備えている。また、図２に示すように、画像表示装置１０による画像表示制御をはじめとする各種制御を実行する制御部１４と、複数の画像情報（画像ファイル）をはじめとする各種情報を記憶する記憶部１６と、画像表示装置１０とプリンタ３８等の外部機器との間で情報の送受信を行うための通信インターフェイス１８とを、備えて構成されている。
【００１９】
図２に示すように、タッチパネルディスプレイ１２は、そのタッチパネルディスプレイ１２に所定の映像を表示させるディスプレイ（表示部）としての表示装置２２と、利用者の指や備え付けのペン２０等によるタッチパネルディスプレイ１２への接触により入力を行うタッチパネル２４とを、備えて構成されている。また、画像表示装置１０には、表示装置２２による画像（映像）の表示制御を行う表示制御部２６と、タッチパネル２４により入力される入力情報を処理する入力制御部２８とが備えられており、それら表示制御部２６及び入力制御部２８により表示装置２２及びタッチパネル２４を介してタッチパネルディスプレイ１２による画像表示制御乃至情報入力制御が実行される。
【００２０】
また、図２に示すように、制御部１４は、中央演算処理装置であるＣＰＵ３０と、読出専用メモリであるＲＯＭ３２と、随時書込読出メモリであるＲＡＭ３４とを、備えて構成されている。すなわち、制御部１４は、ＲＡＭ３４の一時記憶機能を利用しつつＲＯＭ３２に記憶された情報に基づいてＣＰＵ３０により種々の情報処理を実行する所謂マイクロコンピュータであり、表示制御部２６を介してタッチパネルディスプレイ１２（表示装置２２）に所定の画像を表示させる画像表示制御、そのタッチパネルディスプレイ１２（タッチパネル２４）への接触操作に応じて入力制御部２８を介して入力される入力信号を処理する入力処理制御、及び通信インターフェイス１８を介して他の機器との間で情報の送受信を行う情報通信制御等、本実施例の画像表示装置１０に関する各種制御を実行する。
【００２１】
記憶部１６は、ハードディスクやフラッシュメモリ等の記憶装置であり、画像データベース４０（図３を参照）をはじめとする各種データベースを備えている。この画像データベース４０には、表示制御部２６を介してタッチパネルディスプレイ１２（表示装置２２）に所定の画像を表示させるための画像情報として、例えばＪＰＥＧ（Joint Photographic Experts Group）、ＰＮＧ（Portable Network Graphics）、ＧＩＦ（Graphics Interchange Format）等のファイル形式の複数の画像データ（画像ファイル）が、それぞれの識別情報をインデックスとして記憶されている。なお、表示装置２２は、静止画像のみならず動画を表示させるものであってもよく、画像データベース４０に記憶される画像情報は、静止画に対応するものであると動画に対応するものであるとを問わない。
【００２２】
通信インターフェイス１８は、例えば画像表示装置１０を無線により或いは有線接続にてＬＡＮ３６に接続するＬＡＮインターフェイスである。画像表示装置１０は、この通信インターフェイス１８によりＬＡＮ３６に接続されることで、そのＬＡＮ３６を介して例えばプリンタ３８等の外部機器との間で情報の通信が可能とされる。このプリンタ３８は、例えば、画像表示装置１０等から出力される印刷対象となる画像を所定の用紙（例えば、写真用印画紙）に印刷するよく知られたインクジェットプリンタやレーザプリンタ等の印刷装置である。なお、ＬＡＮ３６が図示しないルータ等を介して公衆電話回線、ＡＤＳＬ回線、或いは光ファイバ回線等から構成されるＷＷＷ（World Wide Web）すなわちインターネットに接続可能とされ、画像表示装置１０とインターネットに接続された他の機器との間での通信が可能とされたものであってもよい。また、プリンタ３８による印刷やインターネットへの接続を特に必要としない態様においては、通信インターフェイス１８及びＬＡＮ３６等の構成は必ずしも設けられなくともよい。
【００２３】
図３は、制御部１４に備えられた制御機能の要部を説明する機能ブロック線図である。この図３に示すスライドショー表示制御手段５０は、複数の画像を所定の時間間隔でタッチパネルディスプレイ１２（表示装置２２）に断続的に切替表示させるスライドショー表示制御を実行する。図４は、このスライドショー表示制御手段５０によるスライドショー表示制御において、表示装置２２に複数の画像が断続的に切替表示される様子を説明する図である。この図４に示すように、スライドショー表示制御手段５０は、タッチパネル２４等を介して所定のスライドショー表示制御開始操作が行われた場合、画像データベース４０に記憶された複数の画像情報を予め記憶部１６等に記憶されたスライドショーリストに従って所定の順番で読み出し、各画像情報に対応する画像を表示装置２２に所定時間表示させると共に、その所定時間が経過した段階で次の表示順の画像情報に対応する画像を表示装置２２に所定時間表示させるというように、予め定められた複数の画像を所定の順番で表示装置２２に順次１枚ずつ表示させる。また、好適には、各スライドショー表示制御に関して複数の画像が一通り表示され終えた場合には、そのスライドショー表示制御に係る複数の画像をまた先頭から断続的に切替表示させるスライドショー表示制御を繰り返す。なお、各スライドショー表示制御において、表示装置２２に複数の画像が同時に表示される場合も考えられる。
【００２４】
例えば、図４に示す例では、先ず、時点ｔ０からｔ１までの間、駅から電車が発進する風景を撮影した画像４２ａが表示装置２２に表示される。次に、時点ｔ１に達した段階で画像の切替制御が開始され、時点ｔ２からｔ３までの間、一戸建ての家を撮影した画像４２ｂが表示装置２２に表示される。次に、時点ｔ３に達した段階で画像の切替制御が開始され、時点ｔ４からｔ５までの間、高層ビルを撮影した画像４２ｃが表示装置２２に表示される。次に、時点ｔ５に達した段階で画像の切替制御が開始され、時点ｔ６からｔ７までの間、駅から電車が発進する風景を撮影した画像４２ａが再び表示装置２２に表示される。このように、本実施例のスライドショー表示制御では、複数の画像が予め定められた順番に所定の時間間隔でタッチパネルディスプレイ１２（表示装置２２）に断続的に切替表示される。なお、図４に示す例における各画像の表示時間すなわち画像４２ａの表示時間である時点ｔ０からｔ１の時間間隔、画像４２ｂの表示時間である時点ｔ２からｔ３の時間間隔、画像４２ｃの表示時間である時点ｔ４からｔ５の時間間隔、及び画像４２ａの表示時間である時点ｔ６からｔ７の時間間隔は、好適には、初期設定において何れも等しい時間間隔である。すなわち、複数の画像４２ａ〜４２ｃ（以下、特に区別しない場合には単に画像４２という）は等時間隔で表示装置２２に切替表示されるものであるが、例えばタッチパネル２４により所定の操作が行われること等によりその表示時間が変更（延長乃至短縮）可能とされたものであってもよい。
【００２５】
図３に示す画像品質検出手段５２は、画像データベース４０に記憶された複数の画像それぞれの画像品質を検出する。好適には、スライドショー表示制御手段５０によるスライドショー表示制御において切替表示される複数の画像に関して、ＲＡＭ３４等に読み出された各画像の画像品質を検出する。このために、ノイズ種類判別手段５４及び解像度検出手段５６を備えている。以下、これらの制御機能について分説する。
【００２６】
ノイズ種類判別手段５４は、複数の画像それぞれにおけるノイズの種類を判別する。一般に、画像におけるノイズとしては、ブロックノイズ及びごま塩ノイズがよく知られている。このブロックノイズとは、画像における色情報がブロック状に均一化され、一部領域がモザイク状に見える現象であり、ブロック歪みとも呼ばれる。また、ごま塩ノイズとは、画像に白色や黒色の点（ドット）が分散し、ごま塩を散らしたように見える現象である。ノイズ種類判別手段５４は、好適には、複数の画像それぞれに関して、（ａ）ブロックノイズが検出されるものであるか、（ｂ）ごま塩ノイズが検出されるものであるか、（ｃ）ブロックノイズ及びごま塩ノイズが何れも検出されないものであるか、（ｄ）ブロックノイズ及びごま塩ノイズが共に検出されるものであるかを判別する。例えば、画像を複数の領域に区分し、その区分相互間で所定値以上の色情報（輝度、色調、明度等）の変化が検出された場合には、その画像に関してブロックノイズを検出する。また、画像の画素を所定方向に走査した際に所定値以上の色情報（輝度、色調、明度等）の変化が検出され、数画素後に元の色情報に戻る場合には、その画像に関してごま塩ノイズを検出する。
【００２７】
解像度検出手段５６は、複数の画像それぞれにおける解像度を検出する。すなわち、各画像に係る画像データの横方向及び縦方向の構成画素数を検出する。例えば、複数の画像それぞれに関して例えば６４０×４８０、或いは８００×６００というように、（横方向画素数）×（縦方向画素数）としての解像度（画像サイズ）を検出する。
【００２８】
画像品質検出手段５２は、解像度検出手段５６により検出される複数の画像の解像度に基づいて各画像の画像品質を検出する。好適には、対象となる画像の解像度と平均解像度との差に基づいてその画像の画像品質を算出する。この平均解像度は、表示装置２２により実現される解像度（ディスプレイの解像度）に基づいて予め定められた値である。このため、表示装置２２により実現される解像度よりも高解像度の画像に関してはその値に合わせた解像度（最大解像度）で算出する。例えば、表示装置２２により実現される解像度が８００×６００である場合、解像度が１０２４×７６８の画像は８００×６００、解像度が１９２０×１０８０の画像は８００×４５０（縦横の比率を合わせる）とされる。画像品質検出手段５２は、好適には、対象となる画像の解像度を平均解像度で除した値をその画像の画像品質として算出する。例えば、対象となる画像の解像度が６４０×４８０であり、平均解像度が５００×３４０である場合、その画像の画像品質は、（６４０×４８０）／（５００×３４０）＝１．８０７・・・と数値化される。
【００２９】
また、画像品質検出手段５２は、好適には、複数の画像それぞれのノイズ比に基づいて各画像の画像品質を検出する。例えば、対象となる画像に関してノイズ種類判別手段５４によりごま塩ノイズが検出される場合、そのノイズ比を数値的に検出することができる。すなわち、画像に白色のドットが分散したごま塩ノイズについて考えると、画像全体における白色のドットの総数と、画像全体の画素数との比を求めることによりノイズ比（白色のドット数／画像全体の画素数）を算出することができる。また、好適には、平均解像度に基づいて算出された各画像の画像品質に、ノイズ比を乗算することにより、その画像の画像品質を更に詳しく算出することができる。例えば、平均解像度に基づいて算出される画像品質が１．８０７であり、ノイズ比が２０（％）である場合、その画像の画像品質は、１．８０７×２０＝３６．１４と数値化される。
【００３０】
図３に示す表示効果決定手段５８は、スライドショー表示制御において切替表示される複数の画像それぞれに関して画像品質検出手段５２により検出される各画像品質の相違に基づいて、予め定められた表示効果の適用を決定する。好適には、スライドショー表示制御において切替表示される前後１対の画像それぞれに関して画像品質検出手段５２により検出される各画像品質の相違に基づいて、予め定められた複数の表示効果のうち、何れかの表示効果の適用を選択的に決定する。すなわち、それぞれ後述する（ａ）ごま塩ノイズ除去処理、（ｂ）ブロックノイズ付与処理、（ｃ）ブロックノイズを付与した画像に関して元の状態への復帰処理、（ｄ）コントラスト調整処理、（ｅ）ディゾルブ（dissolve）による表示切替処理、（ｆ）ごま塩ノイズ付与処理、（ｇ）ごま塩ノイズを付与した画像に関して元の状態への復帰処理等の表示効果のうち、表示装置２２に表示された画像に適用される単数乃至複数の表示効果を決定する。また、表示効果適用手段６０は、表示効果決定手段５８により決定された表示効果を対象となる画像の表示制御に適用する。好適には、スライドショー表示制御において切替表示される前後１対の画像に係る表示制御に表示効果決定手段５８により決定された表示効果を適用する。以下、これら表示効果決定手段５８及び表示効果適用手段６０による制御について詳述する。
【００３１】
表示効果決定手段５８は、好適には、複数の画像それぞれに関して画像品質検出手段５２により検出される各画像品質の差に基づいて、各画像に適用される表示効果を決定する。例えば、スライドショー表示制御において切替表示される前後１対の画像に関して画像品質検出手段５２により検出される各画像品質の差に基づいて、それら１対の画像に適用される表示効果を決定する。ここで、スライドショー表示制御において切替表示される前後１対の画像について、前に表示される画像に関して画像品質検出手段５２により算出される画像品質が３６．１４であり、後に表示される画像に関して画像品質検出手段５２により算出される画像品質が２２．１１である場合には、それらの画像品質の差は３６．１４−２２．１１＝１４．０３となる。
【００３２】
また、表示効果決定手段５８は、好適には、前記１対の画像に関して画像品質検出手段５２により検出される各画像品質の差と、予め定められた閾値との比較結果に基づいて、各画像に適用される表示効果を決定する。例えば、前記１対の画像に係る画像品質の差の絶対値が、予め定められた閾値より小さい場合には、画像品質が近い場合について予め定められた表示効果を選択する。また、前記１対の画像に係る、前に表示される画像の画像品質から後に表示される画像の画像品質を引算した結果が正の値であり、予め定められた閾値より大きい場合には、画像品質が低下した場合について予め定められた表示効果を選択する。また、前記１対の画像に係る、前に表示される画像の画像品質から後に表示される画像の画像品質を引算した結果が負の値であり、その絶対値が予め定められた閾値より大きい場合には、画像品質が向上した場合について予め定められた表示効果を選択する。
【００３３】
また、表示効果決定手段５８は、好適には、複数の画像それぞれに関してノイズ種類判別手段５４により判別されるノイズの種類に基づいて、各画像に適用される表示効果を決定する。例えば、スライドショー表示制御において切替表示される前後１対の画像に係るノイズの種類が異なる場合であって、一方の画像においてごま塩ノイズが検出される場合には、その画像の表示に際してごま塩ノイズ除去処理としてメディアンフィルタをかける。換言すれば、ごま塩ノイズ除去処理は、スライドショー表示制御において切替表示される前後１対の画像の一方にごま塩ノイズが含まれている場合に実行される。また、スライドショー表示制御において前に表示される画像と後に表示される画像との差に基づいて表示効果を切り替えて表示させる。また、スライドショー表示制御においてごま塩ノイズに係る画像が後に表示される画像である場合には、ごま塩ノイズを除去した画像のまま後に表示される画像との比較を行う。
【００３４】
また、表示効果決定手段５８は、好適には、複数の画像それぞれに関して画像品質検出手段５２により検出される各画像品質の差を減少させる表示効果の適用を決定する。例えば、画像形式がＪＰＥＧ乃至ＧＩＦである画像について考えた場合、ＪＰＥＧ形式の画像では圧縮率を上げることによりブロックノイズが発生する。また、ＧＩＦ形式の画像では使用色を低減させて表現するため、他の形式の画像に比べてコントラストが低いものとなる。また、他の画像に比べて解像度が低い等の理由で画像品質に劣る画像は、サイズを合わせるために拡大して表示させることによりブロックノイズが目立ち易くなる。このように、スライドショー表示制御において複数の画像を切替表示させる場合、それら複数の画像にはＪＰＥＧ形式の画像、ＧＩＦ形式の画像、他の画像に比べて解像度が低い画像等が混在している場合があり、利用者がそれらの画像品質の相違に起因する違和感を覚えるおそれがある。
【００３５】
斯かる弊害を解消するために、表示効果決定手段５８は、好適には、スライドショー表示制御において切替表示される前後１対の画像に関して、それら１対の画像品質の差を可及的に小さくする表示効果の適用を決定する。例えば、スライドショー表示制御において切替表示される前後１対の画像に関して、画像品質検出手段５２により検出される各画像品質が可及的に近い値となるようにそれら１対の画像それぞれに所定の表示効果の適用を決定する。或いは、スライドショー表示制御において切替表示される前後１対の画像に関して、解像度検出手段５６により検出される各画像の解像度が可及的に近い値となるようにそれら１対の画像それぞれに所定の表示効果の適用を決定する。
【００３６】
例えば、表示効果決定手段５８は、前記１対の画像に係る画像品質が近い場合、すなわちそれら１対の画像に係る画像品質の差の絶対値が予め定められた閾値より小さい場合の表示効果として、（ｄ）コントラスト調整処理、及び（ｅ）ディゾルブによる表示切替処理の適用を決定する。この場合、前記１対の画像相互間におけるノイズ状態については差が小さいと考えられるため、ノイズに起因する違和感は小さく特に処理の必要はない。一方、前記１対の画像相互間におけるコントラストの差に起因する違和感が発生するおそれがある。従って、前記１対の画像相互間のコントラストを近づけるようにそれら画像に係るコントラスト調整処理を実行すると共に、ディゾルブによる表示切替処理を実行することで、違和感の発生を好適に抑制することができる。
【００３７】
また、表示効果決定手段５８は、前記１対の画像に係る切替表示制御の前後で画像品質が低下する場合、すなわち前に表示される画像の画像品質から後に表示される画像の画像品質を引算した結果が正の値であり、予め定められた閾値より大きい場合の表示効果として、（ａ）ごま塩ノイズ除去処理、（ｂ）ブロックノイズ付与処理、（ｄ）コントラスト調整処理、（ｅ）ディゾルブによる表示切替処理、及び（ｆ）ごま塩ノイズ付与処理等の適用を決定する。この場合、前記１対の画像のうち後に表示される画像にごま塩ノイズ或いはブロックノイズが存在すること等が考えられ、表示切替の前後におけるノイズ状態の相違に起因して違和感が発生するおそれがある。また、コントラストの差に起因する違和感については上述の例に等しい。従って、前記１対の画像のうち後に表示される画像にごま塩ノイズ除去処理を適用したり、前に表示される画像にあえてブロックノイズ付与処理或いはごま塩ノイズ付与処理を適用したりすることに加え、前記１対の画像相互間のコントラストを近づけるようにそれら画像に係るコントラスト調整処理を実行すると共に、ディゾルブによる表示切替処理を実行することで、違和感の発生を好適に抑制することができる。
【００３８】
また、表示効果決定手段５８は、前記１対の画像に係る切替表示制御の前後で画像品質が向上する場合、すなわち前に表示される画像の画像品質から後に表示される画像の画像品質を引算した結果が負の値であり、その絶対値が予め定められた閾値より大きい場合の表示効果として、（ａ）ごま塩ノイズ除去処理、（ｂ）ブロックノイズ付与処理、（ｃ）ブロックノイズを付与した画像に関して元の状態への復帰処理、（ｄ）コントラスト調整処理、（ｅ）ディゾルブによる表示切替処理、（ｆ）ごま塩ノイズ付与処理、及び（ｇ）ごま塩ノイズを付与した画像に関して元の状態への復帰処理等の適用を決定する。この場合、前記１対の画像のうち前に表示される画像にごま塩ノイズ或いはブロックノイズが存在すること等が考えられ、表示切替の前後におけるノイズ状態の相違に起因して違和感が発生するおそれがある。また、コントラストの差に起因する違和感については前述の例に等しい。従って、前記１対の画像のうち前に表示される画像にごま塩ノイズ除去処理を適用したり、後に表示される画像にあえてブロックノイズ付与処理或いはごま塩ノイズ付与処理を適用したり、その付与されたブロックノイズ乃至ごま塩ノイズを徐々に元の状態に復帰させたりすることに加え、前記１対の画像相互間のコントラストを近づけるようにそれら画像に係るコントラスト調整処理を実行すると共に、ディゾルブによる表示切替処理を実行することで、違和感の発生を好適に抑制することができる。
【００３９】
図５乃至図７は、表示効果適用手段６０により実際に適用される（ａ）ごま塩ノイズ除去処理の具体例としてのメディアンフィルタについて説明する図である。先ず、図５に示すように、３×３の単位領域について各画素の色情報の値（輝度、明度等）を検出する。次に、図６に示すように、その単位領域に含まれる３×３＝９の画素を色情報の値が小さい順（昇順）に並べると、５つめに中央値が検出される。図６においては、この中央値を太線で囲繞して示している。次に、図７に示すように、元の３×３の単位領域における真ん中の画素を、図６に示す中央値に置換する。そして、斯かる処理を対象となる画像の全体に対して実行することによりその画像における色情報が平均化され、ごま塩ノイズを好適に除去することができる。
【００４０】
また、表示効果適用手段６０は、（ｂ）ブロックノイズ付与処理の具体例として、対象となる画像に対して所定のモザイク処理を実行する。例えば、対象となる画像における一定領域の色を読み込んでその平均値を算出し、その算出結果に基づいてその領域の色を均一化する処理を画像の全体に対して実行する。この領域が大きいほどモザイク処理後の画像におけるブロックノイズは大きいものとなるため、表示効果決定手段５８は、好適には、前記１対の画像相互間における画像品質の差に基づいて、モザイク処理に係る単位領域の大きさを決定する。例えば、解像度が８００×６００である表示装置２２に表示されるスライドショーにおいて、前に表示される画像の解像度が４０×３０、後に表示される画像の解像度が１６００×１２００である場合を考える。この場合、前に表示される画像が実際に表示装置２２に表示されると、縦横２０倍に引き伸ばされるため画素単位が２０×２０となり、強いブロックノイズが存在する画像となる。一方、後に表示される画像の表示解像度は表示装置２２の解像度である８００×６００となるが、前に表示される画像の表示に合わせるため、後に表示される画像を解像度８００×６００に変化させた後にあえて２０×２０の領域を単位とするブロックで色情報の平均をとる。これにより、前記１対の画像相互間における画像品質の差が解消され、違和感の発生を好適に抑制することができる。
【００４１】
図８は、スライドショー表示制御において切替表示される前後１対の画像に、表示効果適用手段６０により（ｂ）ブロックノイズ付与処理、及び（ｃ）ブロックノイズを付与した画像に関して元の状態への復帰処理が実行された場合について説明する図である。スライドショー表示制御において切替表示される前後１対の画像のうち、前に表示される画像４２ａが元の解像度から引き伸ばされて表示されるものである場合、図８に示すようにその画像４２ａには強いブロックノイズが存在し、画像品質に劣る表示となる。ここで、後に表示される画像（次表示画像）４２ｂにブロックノイズ付与処理を実行して画像４２ｂ′とすると共に、ディゾルブによる表示切替を行うことで、その切り替えの前後における画像４２ａ、４２ｂ′相互間におけるノイズ状態が近いものとなり、違和感の発生を抑制することができる。また、ブロックノイズ付与処理後の画像４２ｂ′が所定時間表示された後は、その画像４２ｂ′に元の状態への復帰処理が実行されて画像４２ｂとされることで、以降は本来の解像度の画像４２ｂを表示させることができる。なお、斯かる元の状態への復帰処理には所定の時間をかけることが望ましい。すなわち、ブロックノイズ付与処理後の画像４２ｂ′から徐々に本来の解像度の画像４２ｂへの移行が実行されることで、違和感の発生を更に好適に抑制することができる。
【００４２】
図９は、表示効果適用手段６０による（ｄ）コントラスト調整処理に用いられる関係の一例を示す図である。対象となる画像の輝度変更前の最大輝度値をＬmaxA、最小輝度値をＬminA、輝度変更後の最大輝度値をＬmaxB、最小輝度値をＬminBとすると、変化前の輝度値をｘとして変化後の輝度値は次の（１）式に示すｙで表される。図９はこの関係をグラフに示したものであり、斯かる関係に基づいて算出される前記１対の画像相互間の輝度差が予め定められた閾値以上である場合、それら１対の画像に係るコントラスト調整処理を実行する。例えば、後に表示される画像について算出される最大輝度値及び最小輝度値が、前に表示される画像について算出される最大輝度値及び最小輝度値と可及的に近くなるように、後に表示される画像のコントラストを調整する。
【００４３】
ｙ＝（ｘ−ＬminB）×（ＬmaxA−ＬminA）／（ＬmaxB−ＬminB）＋ＬminA  …（１）
【００４４】
また、表示効果適用手段６０は、好適には、（ｅ）ディゾルブによる表示切替処理の具体例として、よく知られたオーバーラップ（overlap）処理を実行する。例えば、スライドショー表示制御における前後１対の画像の切替表示に際して、前に表示されている画像に、後に表示される画像を所定の透明度としてその前面側に表示させ、徐々にその後に表示される画像の透明度を下げてゆく（本来の透明度に近づけてゆく）処理を実行することにより、あたかも前に表示されていた画像が後に表示される画像に変化してゆくような視覚的効果を実現する。
【００４５】
また、表示効果適用手段６０は、好適には、（ｆ）ごま塩ノイズ付与処理の具体例として、対象となる画像に対して白色や黒色の点（ドット）を分散させる処理を実行する。例えば、対象となる画像における一定領域に対して白色又は黒色の点を所定の割合で且つ均一な分布となるように配置する。換言すれば、対象となる画像における元の画素を白色又は黒色の画素に置き換える。また、表示効果適用手段６０は、（ｇ）ごま塩ノイズを付与した画像に関して元の状態への復帰処理の具体例として、ごま塩ノイズ付与処理後の画像が所定時間表示された後は、その画像を所定時間かけて元の画像（ごま塩ノイズを付与しない本来の画像）に復帰させる。
【００４６】
また、表示効果決定手段５８は、好適には、複数の画像それぞれに関して画像品質検出手段５２により検出される各画像品質の相違に基づいて、表示効果の開始タイミング及び終了タイミングの少なくとも一方を変更する。図１０は、スライドショー表示制御において切替表示される複数の画像に係る画像品質の相違に基づいて、それらの画像に適用される表示効果の開始タイミング及び終了タイミングが変更される例を説明する図である。この図１０に示すように、１枚目に表示される画像（表示画像）４２ａ及び２枚目に表示される画像（次表示画像）４２ｂ相互間の画像品質の差に基づいてそれらの画像４２ａ、４２ｂに所定の表示効果を適用することを考えた場合、それら画像４２ａ、４２ｂに係る全ての表示時間をその表示効果に使ってしまうと３枚目に表示される画像４２ｃに係る表示効果（例えば、画像４２ｂ、４２ｃ相互間の画像品質の差に基づいて適用される表示効果）を適用するために必要十分な時間が確保できなくなる場合がある。このような場合、それぞれの表示効果に使う時間を短縮し、下段に示すようにその開始タイミング及び終了タイミングを調整することで、画像４２ａから画像４２ｂへの切替制御、及び画像４２ｂから画像４２ｃへの切替制御の何れにおいても違和感の発生を抑制することができる。
【００４７】
また、表示効果決定手段５８は、好適には、複数の画像それぞれに関して画像品質検出手段５２により検出される各画像品質の相違に基づいて、表示効果の実行順を決定する。例えば、ブロックノイズに係る処理に関して、前記１対の画像に係る画像品質が近い場合、すなわちそれら１対の画像に係る画像品質の差の絶対値が予め定められた閾値より小さい場合には、前の画像が表示された状態から、第１に（ｄ）コントラスト調整処理、第２に（ｅ）ディゾルブによる表示切替処理を実行することで、後の画像が表示された状態へ移行させるように各表示効果の実行順を決定する。また、前記１対の画像に係る切替表示制御の前後で画像品質が低下する場合、すなわち前に表示される画像の画像品質から後に表示される画像の画像品質を引算した結果が正の値であり、予め定められた閾値より大きい場合には、前の画像が表示された状態から、第１に（ｄ）コントラスト調整処理、第２に表示画像（前に表示された画像）に対する（ｂ）ブロックノイズ付与処理、第３に（ｅ）ディゾルブによる表示切替処理を実行することで、後の画像が表示された状態へ移行させるように各表示効果の実行順を決定する。また、前記１対の画像に係る切替表示制御の前後で画像品質が向上する場合、すなわち前に表示される画像の画像品質から後に表示される画像の画像品質を引算した結果が負の値であり、その絶対値が予め定められた閾値より大きい場合には、前の画像が表示された状態から、第１に（ｄ）コントラスト調整処理、第２に次表示画像（後に表示される画像）に対する（ｂ）ブロックノイズ付与処理、第３に（ｅ）ディゾルブによる表示切替処理を実行することで、後の画像が表示された状態へ移行させ、更にその後に（ｃ）ブロックノイズを付与した画像に関して元の状態への復帰処理を実行するように各表示効果の実行順を決定する。
【００４８】
また、表示効果決定手段５８は、ごま塩ノイズに係る処理に関して、前記１対の画像に係る画像品質が近い場合、すなわちそれら１対の画像に係る画像品質の差の絶対値が予め定められた閾値より小さい場合には、前の画像が表示された状態から、第１に（ｄ）コントラスト調整処理、第２に（ｅ）ディゾルブによる表示切替処理を実行することで、後の画像が表示された状態へ移行させるように各表示効果の実行順を決定する。また、前記１対の画像に係る切替表示制御の前後で画像品質が低下する場合、すなわち前に表示される画像の画像品質から後に表示される画像の画像品質を引算した結果が正の値であり、予め定められた閾値より大きい場合には、前の画像が表示された状態から、第１に（ａ）ごま塩ノイズ除去処理、第２に（ｄ）コントラスト調整処理、第３に表示画像（前に表示された画像）に対する（ｆ）ごま塩ノイズ付与処理、第４に（ｅ）ディゾルブによる表示切替処理を実行することで、後の画像が表示された状態へ移行させるように各表示効果の実行順を決定する。また、前記１対の画像に係る切替表示制御の前後で画像品質が向上する場合、すなわち前に表示される画像の画像品質から後に表示される画像の画像品質を引算した結果が負の値であり、その絶対値が予め定められた閾値より大きい場合には、前の画像が表示された状態から、第１に（ａ）ごま塩ノイズ除去処理、第２に（ｄ）コントラスト調整処理、第３に次表示画像（後に表示される画像）に対する（ｆ）ごま塩ノイズ付与処理、第４に（ｅ）ディゾルブによる表示切替処理を実行することで、後の画像が表示された状態へ移行させ、更にその後に（ｇ）ごま塩ノイズを付与した画像に関して元の状態への復帰処理を実行するように各表示効果の実行順を決定する。
【００４９】
また、表示効果決定手段５８は、好適には、複数の画像それぞれに関して画像品質検出手段５２により検出される各画像品質の相違に基づいて、表示効果の継続時間を変更する。例えば、前記１対の画像に係る画像品質が近い場合には、それらの画像に関して例えばコントラストの調整を行うのみで足りるため、ある程度短時間で表示効果が終了したとしても違和感が残らないことから、表示効果の継続時間を短くする。一方、前記１対の画像に係る切替表示制御の前後で画像品質が低下乃至向上する場合には、それらの画像に関してコントラストの調整に加えてブロックノイズ乃至ごま塩ノイズに係る処理を行う必要があり、更にそれらの処理を短時間で行うと違和感が残るため、表示効果の継続時間を長くとることが望ましい。また、スライドショー表示制御手段５０は、表示効果決定手段５８により決定される表示効果に応じて、スライドショー表示制御において切替表示される各画像の表示時間（表示開始から切替開始までの時間）を変更するものであってもよい。
【００５０】
表示効果決定手段５８は、例えば、対象となる画像の表示時間を１００とし、各表示効果の継続時間を１５（画像の表示時間を１００としたときの相対値であり以下の説明において同じ）とした場合において、前記１対の画像に係る画像品質が近い場合、すなわちそれら１対の画像に係る画像品質の差の絶対値が予め定められた閾値より小さい場合には、例えばブロックノイズに対処するための表示効果時間を３０、ごま塩ノイズに対処するための表示効果時間を４５とする。また、ブロックノイズに対処するための表示効果開始タイミングを３５（対象となる画像の表示開始からの経過時間であり以下の説明において同じ）、終了タイミングを６５、ごま塩ノイズに対処するための表示効果の開始タイミングを２７．５、終了タイミングを７２．５とする。また、前記１対の画像に係る切替表示制御の前後で画像品質が低下する場合、すなわち前に表示される画像の画像品質から後に表示される画像の画像品質を引算した結果が正の値であり、予め定められた閾値より大きい場合には、例えばブロックノイズに対処するための表示効果時間を４５、ごま塩ノイズに対処するための表示効果時間を６０とする。また、ブロックノイズに対処するための表示効果開始タイミングを２７．５、終了タイミングを７２．５、ごま塩ノイズに対処するための表示効果の開始タイミングを２０、終了タイミングを８０とする。また、前記１対の画像に係る切替表示制御の前後で画像品質が向上する場合、すなわち前に表示される画像の画像品質から後に表示される画像の画像品質を引算した結果が負の値であり、その絶対値が予め定められた閾値より大きい場合には、例えばブロックノイズに対処するための表示効果時間を６０、ごま塩ノイズに対処するための表示効果時間を７５とする。また、ブロックノイズに対処するための表示効果開始タイミングを２０、終了タイミングを８０、ごま塩ノイズに対処するための表示効果の開始タイミングを１２．５、終了タイミングを８７．５とする。
【００５１】
図１１は、画像表示装置１０の制御部１４によるメイン制御の要部を説明するフローチャートであり、所定の周期で繰り返し実行されるものである。
【００５２】
先ず、ステップ（以下、ステップを省略する）Ｓ１において、スライドショーリストにおいて定められたスライドショーにおいて切替表示される複数の画像が画像データベース４０からＲＡＭ３４に読み出される。次に、Ｓ２において、Ｓ１にてＲＡＭ３４に読み出された複数の画像それぞれに関してノイズの種類が判別される。次に、Ｓ３において、Ｓ１にてＲＡＭ３４に読み出された複数の画像それぞれに関して解像度が算出（検出）される。次に、Ｓ４において、スライドショーリストにおいて定められたスライドショーにおいて切替表示される全ての画像が画像データベース４０からＲＡＭ３４に読み出されたか否かが判断される。このＳ４の判断が否定される場合には、Ｓ１以下の処理が再び実行されるが、Ｓ４の判断が肯定される場合には、ＳＡにおいて、図１２に示す表示効果選択制御が実行された後、Ｓ５において、ＳＡにて決定された表示効果、ノイズ種類等から、スライドショーにおける表示切替に係る各画像の表示時間、及び各表示効果の継続時間が決定される。すなわち、各画像におけるノイズの種類及び選択された表示効果から、対象となる画像に実際に適用される表示効果が決定され、予め定められた各表示効果に必要な時間から、全体としての表示効果の継続時間が算出される。また、各画像それぞれに関してＳ２乃至Ｓ３で判定された画像品質の相違に基づいて、各表示効果の継続時間、開始タイミング、及び終了タイミングが決定される。次に、Ｓ６において、スライドショーに係る各画像の表示制御乃至切替表示制御が実行される。ここで、規定の総表示時間からＳ５にて決定された表示効果の継続時間を差し引いた時間で各画像の表示が実行される。なお、表示画像の表示時間は、総表示時間から表示効果時間を引き、半分にした時間である。次に、ＳＢにおいて、図１３に示す表示効果適用制御が実行された後、Ｓ７において、制御終了（アプリケーションの終了）であるか否かが判断される。このＳ７の判断が否定される場合には、ＳＡ以下の処理が再び実行されるが、Ｓ７の判断が肯定される場合には、それをもって本ルーチンが終了させられる。
【００５３】
図１２は、図１１に示すメイン制御における表示効果選択制御（表示効果選択サブルーチン）の要部を説明するフローチャートである。先ず、ＳＡ１において、スライドショー表示制御におけるその時点での表示画像（前に表示される画像）と、次表示画像（後に表示される画像）との画像品質の差が算出される。次に、ＳＡ２において、ＳＡ１にて算出された画像品質の差の絶対値が予め定められた閾値より小さいか否かが判断される。このＳＡ２の判断が肯定される場合には、ＳＡ３において、画像品質が近い場合の表示効果が選択された後、図１１に示すメインルーチンへ復帰させられるが、ＳＡ２の判断が否定される場合には、ＳＡ４において、ＳＡ１にて算出された画像品質の差が予め定められた閾値より大きいか否かが判断される。このＳＡ４の判断が肯定される場合、すなわちＳＡ１にて算出された画像品質の差が正の値である場合には、ＳＡ５において、画像品質が向上した場合の表示効果が選択された後、図１１に示すメインルーチンへ復帰させられるが、ＳＡ４の判断が否定される場合、すなわちＳＡ１にて算出された画像品質の差が負の値であり且つその絶対値が閾値より大きい場合には、ＳＡ６において、画像品質が低下した場合の表示効果が選択された後、図１１に示すメインルーチンへ復帰させられる。
【００５４】
図１３は、図１１に示すメイン制御における表示効果適用制御（表示効果適用サブルーチン）の要部を説明するフローチャートである。先ず、ＳＢ１において、Ｓ２にて判別されたノイズの種類がごま塩ノイズであるか否かが判断される。すなわち、スライドショーの表示切替に係る前後１対の画像にごま塩ノイズに係る画像が含まれているか否かが判断される。このＳＢ１の判断が否定される場合には、ＳＢ３以下の処理が実行されるが、ＳＢ１の判断が肯定される場合には、ＳＢ２において、ごま塩ノイズが判定された画像に対して設定された時間でメディアンフィルタ処理が実行される。次に、ＳＢ３において、スライドショーの表示切替に係る前後１対の画像相互間のコントラストの差が予め定められた閾値以上であるか否かが判断される。このＳＢ３の判断が否定される場合には、ＳＢ５以下の処理が実行されるが、ＳＢ３の判断が肯定される場合には、ＳＢ４において、前記１対の画像の一方又は両方に対して設定された時間でコントラスト調整処理が実行される。次に、ＳＢ５において、スライドショーの表示切替に係る前後１対の画像の画像品質が近いか否かが判断される。このＳＢ５の判断が否定される場合には、ＳＢ８以下の処理が実行されるが、ＳＢ５の判断が肯定される場合には、ＳＢ６において、設定された時間でディゾルブによる表示切替が実行される。次に、ＳＢ７において、スライドショーの表示切替において表示画像（前に表示された画像）から次表示画像（後に表示される画像）への表示切替が実行された後、図１１に示すメインルーチンへ復帰する。ここで、ＳＢ７においては、総表示時間から各表示効果の継続時間を引いた時間の半分で次表示画像（後に表示される画像）が表示される。
【００５５】
ＳＢ８においては、スライドショーの表示切替に係る前後１対の画像に関して、表示画像から次表示画像へ切り替える場合に画像品質が低下するか否かが判断される。このＳＢ８の判断が否定される場合には、ＳＢ１１以下の処理が実行されるが、ＳＢ８の判断が肯定される場合には、ＳＢ９において、設定された時間で表示画像（前に表示される画像）にブロックノイズ又はごま塩ノイズが付与される。次に、ＳＢ１０において、設定された時間でディゾルブによる表示切替が実行された後、ＳＢ７以下の処理が実行される。ＳＢ１１においては、設定された時間で次表示画像（後に表示される画像）にブロックノイズ又はごま塩ノイズが付与される。次に、ＳＢ１２において、設定された時間でディゾルブによる表示切替が実行される。次に、ＳＢ１３において、設定された時間で次表示画像（後に表示される画像）がブロックノイズ又はごま塩ノイズを付与しない本来の画像に復帰させられた後、ＳＢ７以下の処理が実行される。
【００５６】
以上の制御において、Ｓ１、Ｓ６、及びＳＢ７がスライドショー表示制御手段５０の動作乃至スライドショー表示制御過程に、Ｓ２及びＳ３が画像品質検出手段５２の動作乃至画像品質検出過程に、Ｓ２がノイズ種類判別手段５４の動作に、Ｓ３が解像度検出手段５６の動作に、ＳＡ及びＳ５が表示効果決定手段５８の動作乃至表示効果決定過程に、ＳＢが表示効果適用手段６０の動作乃至表示効果適用過程に、それぞれ対応する。
【００５７】
このように、本実施例によれば、複数の画像それぞれの画像品質を検出する画像品質検出手段５２（Ｓ２及びＳ３）と、スライドショー表示制御において切替表示される複数の画像それぞれに関して画像品質検出手段５２により検出される各画像品質の相違に基づいて、予め定められた表示効果の適用を決定する表示効果決定手段５８（ＳＡ及びＳ５）と、その表示効果決定手段５８により決定された表示効果を対象となる画像の表示制御に適用する表示効果適用手段６０（ＳＢ）とを、備えたものであることから、スライドショー表示制御において切替表示される画像それぞれの品質を踏まえて表示効果を決定することで、視覚的に自然な画像の切替制御を実現できる。すなわち、スライドショー表示制御における画像の切替表示に際して利用者に違和感を与えることを抑制する画像表示装置１０を提供することができる。
【００５８】
また、画像品質検出手段５２は、対象となる画像の解像度に基づいてその画像の画像品質を検出するものであるため、スライドショー表示制御において切替表示される画像それぞれの品質を実用的な態様で数値的に検出することができる。
【００５９】
また、表示効果決定手段５８は、複数の画像それぞれに関して画像品質検出手段５２により検出される各画像品質の相違に基づいて、表示効果の継続時間を変更するものであるため、スライドショー表示制御において切替表示される画像それぞれの品質を踏まえて表示効果の継続時間を変更することで、更に視覚的に自然な画像の切替制御を実現できる。
【００６０】
また、表示効果決定手段５８は、複数の画像それぞれに関して画像品質検出手段５６により検出される各画像品質の相違に基づいて、表示効果の開始タイミング及び終了タイミングの少なくとも一方を変更するものであるため、スライドショー表示制御において切替表示される画像それぞれの品質を踏まえて表示効果の実行タイミングを変更することで、更に視覚的に自然な画像の切替制御を実現できる。
【００６１】
また、表示効果決定手段５８は、複数の画像それぞれに関して画像品質検出手段５２により検出される各画像品質の差を減少させる表示効果の適用を決定するものであるため、スライドショー表示制御において切替表示される画像それぞれの品質を踏まえて画像品質の差を可及的に小さくする表示効果を適用することで、更に視覚的に自然な画像の切替制御を実現できる。
【００６２】
また、本実施例によれば、複数の画像それぞれの画像品質を検出する画像品質検出過程（Ｓ２及びＳ３）と、スライドショー表示制御過程（Ｓ１、Ｓ６、及びＳＢ７）において切替表示される複数の画像それぞれに関して画像品質検出過程において検出される各画像品質の相違に基づいて、予め定められた表示効果の適用を決定する表示効果決定過程（ＳＡ及びＳ５）と、その表示効果決定過程において決定された表示効果を対象となる画像の表示制御に適用する表示効果適用過程（ＳＢ）とを、含むことから、スライドショー表示制御において切替表示される画像それぞれの品質を踏まえて表示効果を決定することで、視覚的に自然な画像の切替制御を実現できる。すなわち、スライドショー表示制御における画像の切替表示に際して利用者に違和感を与えることを抑制する画像表示方法を提供することができる。
【００６３】
また、本実施例によれば、画像表示装置１０の制御装置としての制御部１４を、複数の画像それぞれの画像品質を検出する画像品質検出手段５２、スライドショー表示制御において切替表示される複数の画像それぞれに関して画像品質検出手段５２により検出される各画像品質の相違に基づいて、予め定められた表示効果の適用を決定する表示効果決定手段５８、及びその表示効果決定手段５８により決定された表示効果を対象となる画像の表示制御に適用する表示効果適用手段６０として機能させる画像表示プログラムであることから、スライドショー表示制御において切替表示される画像それぞれの品質を踏まえて表示効果を決定することで、視覚的に自然な画像の切替制御を実現できる。すなわち、スライドショー表示制御における画像の切替表示に際して利用者に違和感を与えることを抑制する画像表示プログラムを提供することができる。
【００６４】
以上、本発明の好適な実施例を図面に基づいて詳細に説明したが、本発明はこれに限定されるものではなく、更に別の態様においても実施される。
【００６５】
例えば、前述の実施例において、スライドショー表示制御手段５０、画像品質検出手段５２、ノイズ種類判別手段５４、解像度検出手段５６、表示効果決定手段５８、及び表示効果適用手段６０は、何れも制御部１４に機能的に備えられたものであったが、その一部乃至全部が同等の機能を有する個別の制御部として制御部１４とは別体に備えられたものであってもよい。また、画像表示装置１０においては、タッチパネルディスプレイ１２の表示制御乃至入力情報処理を行う表示制御部２６及び入力制御部２８が制御部１４とは別体の制御部として備えられたものであったが、これらはその一方乃至両方が制御部１４に機能的に備えられたものであってもよい。
【００６６】
また、前述の実施例では、画像表示機能を有すると共に接触による入力装置として機能するタッチパネルディスプレイ１２を備えた画像表示装置１０に本発明が適用された例を説明したが、本発明の画像表示装置は必ずしもタッチパネルディスプレイを備えたものでなくともよく、画像を表示し得るディスプレイを備えた画像表示装置に広く適用されるものである。
【００６７】
また、前述の実施例において、表示効果決定手段５８は、スライドショー表示制御において切替表示される前後１対の画像それぞれに関して画像品質検出手段５２により検出される各画像品質の相違に基づいて、予め定められた複数の表示効果のうち、何れかの表示効果の適用を選択的に決定するものであったが、本発明の表示効果決定手段５８は、スライドショー表示制御において切替表示される複数の画像それぞれに関して検出される各画像品質の相違に基づいて、予め定められた表示効果の適用を決定するものであればよく、前述した実施例の他にも種々の態様が考えられる。例えば、スライドショー表示制御において切替表示される第１画像（前の画像）から第２画像（後の画像）に切り換わる際に、この２枚の画像の品質の差だけから表示効果を決定するものであってもよい。換言すれば、スライドショーにおいて切り換わる２枚の画像だけを用いてその都度表示効果を決定するものであってもよい。更に、２枚の画像の解像度が同程度であれば特に特別な表示効果を選択することなく通常の切替表示制御を行うものであっても当然構わない。
【００６８】
その他、一々例示はしないが、本発明はその趣旨を逸脱しない範囲内において種々の変更が加えられて実施されるものである。
【符号の説明】
【００６９】
１０：画像表示装置、１４：制御部（制御装置）、２２：表示装置（ディスプレイ）、４２：画像、５０：スライドショー表示制御手段、５２：画像品質検出手段、５８：表示効果決定手段、６０：表示効果適用手段
【図１】
2011180389.tif 000003
【図２】
2011180389.tif 000004
【図３】
2011180389.tif 000005
【図４】
2011180389.tif 000006
【図５】
2011180389.tif 000007
【図６】
2011180389.tif 000008
【図７】
2011180389.tif 000009
【図９】
2011180389.tif 000010
【図１０】
2011180389.tif 000011
【図１１】
2011180389.tif 000012
【図１２】
2011180389.tif 000013
【図１３】
2011180389.tif 000014
【図８】
2011180389.tif 000015